(57)【要約】【課題】  印刷工程が少なく、ローコスト化が可能な計器用表示板を提供する。【解決手段】  計器用表示板１１は、指標部１２を有する。指標部１２は、第一の色と第二の色とを交互に配色した警告領域１２Ｒを有する。第一の色はマゼンタ（Ｍ）であり、第二の色は黒（Ｋ）である。【選択図】  図１
2016050898.tif 000002
【特許請求の範囲】
【請求項１】
指標部を有する計器用表示板であって、
前記指標部は、第一の色と第二の色とを交互に配色した警告領域を有することを特徴とする計器用表示板。
【請求項２】
前記第一の色はマゼンタ（Ｍ）であり、前記第二の色は黒（Ｋ）であることを特徴とする請求項１に記載の計器用表示板。
【請求項３】
指標部を有する計器用表示板であって、
前記指標部は、マゼンタ（Ｍ）の基本色ドットと、イエロー（Ｙ）の基本色ドットとからなる警告領域を有することを特徴とする計器用表示板。
【発明の詳細な説明】
【技術分野】
【０００１】
指標部を有する計器用表示板に関するものである。
【背景技術】
【０００２】
従来より、表示板に、Ｃ（シアン），Ｍ（マゼンタ），Ｙ（イエロー），Ｋ（ブラック）の４色の基本色ドットにて形成された装飾模様を表示板に設けた表示装置が提案されており、例えば特許文献１に開示されている。斯かる表示板は、各色の微小な基本色ドットを基材に印刷することにより、装飾模様をカラー表示するものである。
【先行技術文献】
【特許文献】
【０００３】
【特許文献１】特開２０１１−１９８７２１号公報
【発明の概要】
【発明が解決しようとする課題】
【０００４】
しかしながら、上述した表示板は、Ｃ（シアン），Ｍ（マゼンタ），Ｙ（イエロー），Ｋ（ブラック）の基本色ドットを夫々印刷するため、印刷工程が多いため、ローコスト化が望まれている。
本発明は、印刷工程が少なく、ローコスト化が可能な計器用表示板を提供するものである。
【課題を解決するための手段】
【０００５】
本発明は、指標部１２を有する計器用表示板１１であって、前記指標部１２は、第一の色と第二の色とを交互に配色した警告領域１２Ｒを有するものである
【０００６】
また、本発明は、前記第一の色はマゼンタ（Ｍ）であり、前記第二の色は黒（Ｋ）であるものである。
【０００７】
また、本発明は、指標部１２を有する計器用表示板１１であって、前記指標部１２は、マゼンタ（Ｍ）の基本色ドットと、イエロー（Ｙ）の基本色ドットとからなる警告領域１２Ｒを有するものである。
【発明の効果】
【０００８】
印刷工程が少なく、ローコスト化が可能である。
【図面の簡単な説明】
【０００９】
【図１】本発明の第一実施形態を示す要部拡大図である。
【図２】同上実施形態を示す正面図である。
【図３】同上実施形態を示す印刷層説明図。
【図４】比較例を示す図である。
【図５】他の実施形態を示す説明図である。
【図６】本発明の第二実施形態を示す要部拡大図である。
【図７】同上実施形態を示す印刷層説明図である。
【発明を実施するための形態】
【００１０】
以下、添付図面に基づいて、本発明の一実施形態を説明する。図１乃至図３は、第一実施形態を示すものである。車両用計器は、燃料計１０と、速度計２０と、警告部表示部３０とを備えている。
【００１１】
燃料計１０は、表示板１１に設けられた指標部１２を指針１３にて指示することにより残燃料量を表示する指針式計器である。速度計２０は、表示板１１に設けられた指標部２２を指針２３にて指示することにより車両速度を表示する指針式計器である。警告表示部３０は、光源を点灯させることにより、エンジン等の異常を報知する発光表示器である。
【００１２】
表示板１１は、透光性シートからなる基材１の前面に、遮光層２，白色層３，基本色層４，遮光層５，オーバーコート層６を順次印刷形成すると共に、基材１の後面に、白色層７，網点８を順次印刷形成したものである。白色層３は、基本色層４の発色を良くするためのものである。基本色層４は、シアン（Ｃ）４ｃ，マゼンタ（Ｍ）４ｍの基本色からなるものである。遮光層５は、指標部１２の見切りを形成するものである。オーバーコート層６は、透明なインクに配合されたビーズ状の添加物によって、表面が微差な凹凸を有していて、反射光や透過光を拡散させる。
【００１３】
表示板１１の指標部１２は、目盛り部１２Ｄ，レッドゾーン１２Ｒ，文字部１２Ｅ，１２Ｆを有している。レッドゾーン１２Ｒは、残燃料が少なくなったときに指針１３によって指示される領域であり、目盛り部１２Ｄの下端に配置されている。レッドゾーン１２Ｒには、横縞状に黒色部Ｋとマゼンタ部Ｍとが交互に配色されている。文字部１２Ｅは、レッドゾーン１２Ｒの近傍に配置されており、白色部Ｗからなる文字「Ｅ」を黒色部Ｋで縁取っている。文字部１２Ｆは、目盛り部１２Ｄの上端近傍に配置されており、白色部Ｗからなる文字「Ｆ」を黒色部Ｋで縁取っている。
【００１４】
黒色部Ｋとマゼンタ部Ｍとが交互に配色されたレッドゾーン１２Ｒは、同化現象と称される錯視によって、赤色で視認される。なお、同化現象とは、隣り合った色と色とが影響し合い、色が似て見える現象である。
【００１５】
図４は、比較例を示すものである。表示板１１１は、透光性シートからなる基材１０１の前面に、遮光層１０２，白色層１０３，基本色層１０４，赤色層１３１，遮光層１０５，オーバーコート層１０６を順次印刷形成し、基材１０１の後面に、白色層１０７，網点１０８を順次印刷形成したものである。基本色層１０４は、シアン（Ｃ）１０４ｃ，マゼンタ（Ｍ）１０４ｍ，イエロー（Ｙ）１０４ｙ，ブラック（Ｋ）１０４ｋの基本色からなるものである。赤色層１３１は、ダイヤルレッドと称されるものであり、レッドゾーンに用いられる。
【００１６】
第一実施形態は、赤色層１３１が無く、黒色部Ｋとマゼンタ部Ｍとで赤色を表現でき、比較例よりも少ない層構成になっており、コストダウンが可能になっている。なお、第一実施形態は、横縞状に黒色部Ｋとマゼンタ部Ｍとを配色したものであったが、図５に示すように、格子状，ドット状等であっても良い。
【００１７】
図６及び図７は、第二実施形態を示すものである。第二実施形態は、第一実施形態と同様な構成については同一の符号を付して説明する。
【００１８】
表示板１１は、透光性シートからなる基材１の前面に、遮光層２，白色層３，基本色層４，遮光層５，オーバーコート層６を順次印刷形成すると共に、基材１の後面に、白色層７，網点８を順次印刷形成したものである。白色層３は、基本色層４の発色を良くするためのものである。基本色層４は、シアン（Ｃ）４ｃ，イエロー（Ｙ）４ｙの基本色からなるものである。遮光層５は、指標部１２の見切りを形成するものである。オーバーコート層６は、透明なインクに配合されたビーズ状の添加物によって、表面が微差な凹凸を有していて、反射光や透過光を拡散させる。
【００１９】
表示板１１の指標部１２は、目盛り部１２Ｄ，レッドゾーン１２Ｒ，文字部１２Ｅ，１２Ｆを有している。レッドゾーン１２Ｒは、残燃料が少なくなったときに指針１３によって指示される領域であり、目盛り部１２Ｄの下端に配置されている。レッドゾーン１２Ｒは、赤色部Ｒを黒色部Ｋで縁取ったものである。レッドゾーン１２Ｒの赤色部Ｒは、シアン（Ｃ）４ｃ及びイエロー（Ｙ）４ｙの基本色ドットを１００％の掛け合わせにて赤色を再現したものである。文字部１２Ｅは、レッドゾーン１２Ｒの近傍に配置されており、白色部Ｗからなる文字「Ｅ」を黒色部Ｋで縁取っている。文字部１２Ｆは、目盛り部１２Ｄの上端近傍に配置されており、白色部Ｗからなる文字「Ｆ」を黒色部Ｋで縁取っている。
【００２０】
第二実施形態は、赤色層１３１が無く、基本色層４のシアン（Ｃ）４ｃ及びイエロー（Ｙ）４ｙで赤色を表現でき、比較例よりも少ない層構成になっており、コストダウンが可能になっている。
【符号の説明】
【００２１】
１０    燃料計
１１    表示板（計器用表示板）
１２    指標部
１２Ｒ  レッドゾーン（警告領域）
１３    指針
【図１】
2016050898.tif 000003
【図２】
2016050898.tif 000004
【図３】
2016050898.tif 000005
【図４】
2016050898.tif 000006
【図５】
2016050898.tif 000007
【図６】
2016050898.tif 000008
【図７】
2016050898.tif 000009